(57)【要約】【課題】フィルタ部のメンテナンスに要する負担を低減させることが可能な換気装置を提供する。【解決手段】フィルタ５１は、上流側排気流路Ａから熱交換エレメント５０ａまたは上流側給気流路Ｃから熱交換エレメント５０ａに向かう空気中の集塵Ｇを捕捉する。掃除用ブラシ６５は、フィルタ５１が捕捉している集塵Ｇをフィルタ５１から分離させ、分離させた分離物を下流側排気流路Ｂに存在させる。排気ファン４３は、上流側排気流路Ａから熱交換エレメント５０ａを通じて下流側排気流路Ｂに向かう空気流れを生じさせる。【選択図】図７
2012052692.tif 000002
【特許請求の範囲】
【請求項１】
対象空間（ＳＩ）の空気と前記対象空間外である外部空間（ＳＯ）の空気との間で熱交換させながら換気を行うための換気装置（１、５０１）であって、
前記対象空間の空気と前記外部空間の空気との間で熱交換させる全熱交換部（５０ａ）と、
前記対象空間から前記全熱交換部まで延びる上流側排気流路（Ａ）と、
前記全熱交換部から前記外部空間まで延びる下流側排気流路（Ｂ）と、
前記外部空間から前記全熱交換部まで延びる上流側給気流路（Ｃ）と、
前記全熱交換部から前記対象空間まで延びる下流側給気流路（Ｄ）と、
前記上流側排気流路から前記全熱交換部または前記上流側給気流路から前記全熱交換部に向かう空気中の集塵を捕捉するフィルタ部（５１、２５１、３５１）と、
前記フィルタ部が捕捉している前記集塵を前記フィルタ部から分離させ、前記分離させた分離物を前記下流側排気流路に存在させる分離機構（６０、６５、２６０、３６０、４６５、Ｐ）と、
前記上流側排気流路から前記全熱交換部を通じて前記下流側排気流路に向かう空気流れを生じさせるファン（４３、５４３）と、
を備えた換気装置（１、５０１）。
【請求項２】
前記分離機構は、掻き落とし部（６５、４６５、Ｐ）と、前記掻き落とし部に対する前記フィルタ部の位置を相対的に変動させる移動機構（６０、２６０、３６０、４６０）と、を有している、
請求項１に記載の換気装置。
【請求項３】
前記掻き落とし部は、前記下流側排気流路中に配置されているか、もしくは、前記下流側排気流路の壁面の少なくとも一部（４６５、Ｐ）によって構成されている、
請求項２に記載の換気装置。
【請求項４】
前記フィルタ部は、少なくとも、前記上流側給気流路を通過する空気に含まれる前記集塵を捕捉する上流側給気部分（５１ｃ、２５１ｃ）と、前記上流側排気流路を通過する空気に含まれる前記集塵を捕捉する上流側排気部分（５１ａ、２５１ａ）と、を有しており、
前記移動機構は、
前記上流側給気部分に位置していた時に前記集塵を捕捉していた面が前記全熱交換部とは反対側を向いた状態で前記下流側排気流路中に位置するように前記フィルタ部を移動させる、および／または、
前記上流側排気部分に位置していた時に前記集塵を捕捉していた面が前記全熱交換部とは反対側を向いた状態で前記下流側排気流路中に位置するように前記フィルタ部を移動させる、
請求項２または３に記載の換気装置。
【請求項５】
前記フィルタ部は、前記下流側給気流路に配置された下流側給気部分（５１ｄ）と、前記下流側排気流路に配置された下流側排気部分（５１ｂ）と、をさらに有しており、前記上流側給気部分と前記上流側排気部分と前記下流側給気部分と前記下流側排気部分とが一体化しており、
前記移動機構は、前記フィルタ部を前記全熱交換部に対して循環移動させることが可能である、
請求項４に記載の換気装置。
【請求項６】
前記フィルタ部のうち前記集塵を捕捉していた面が前記下流側排気流路中に位置した状態では、前記上流側給気流路における空気流れを生じさせることなく、前記下流側排気流路に空気流れを生じさせる、
請求項５に記載の換気装置。
【請求項７】
前記上流側給気部分が前記上流側給気流路に位置している状態もしくは前記上流側排気部分が前記上流側排気流路に位置している状態での前記ファンの風量よりも、前記移動機構が前記上流側給気部分もしくは前記上流側排気部分を前記下流側排気流路に配置させた状態での前記ファンの風量を増大させるファン風量制御部（７０）をさらに備えた、
請求項４または５に記載の換気装置。
【発明の詳細な説明】
【技術分野】
【０００１】
本発明は、換気装置に関する。
【背景技術】
【０００２】
全熱交換エレメントを備えた換気装置として、例えば、特許文献１（特開２００７−２８５５８４号公報）に記載されているように、室内の温度調和された空気と屋外から新鮮空気とを熱交換させることで、室内の空調負荷の増大を抑えつつ、室内空気の鮮度を向上させる換気装置が提案されている。
【発明の概要】
【発明が解決しようとする課題】
【０００３】
上述の特許文献１（特開２００７−２８５５８４号公報）に記載されているような換気装置では、全熱交換エレメントの熱交換有効表面積が埃によって覆われて小さくなることを回避するために、フィルタが設けられている。このような、全熱交換エレメントに設けられたフィルタは、通風抵抗が増大しないように、定期的に清掃されることで目詰まりを防いでいる。
【０００４】
しかし、全熱交換エレメントに対して設けられたフィルタは、天井裏等に配置されているため、清掃を行う際の負担が大きくなりがちである。
【０００５】
本発明の課題は、フィルタ部のメンテナンスに要する負担を低減させることが可能な換気装置を提供することにある。
【課題を解決するための手段】
【０００６】
第１の観点に係る換気装置は、対象空間の空気と対象空間外である外部空間の空気との間で熱交換させながら換気を行うための換気装置であって、全熱交換部、上流側排気流路、下流側排気流路、上流側給気流路、下流側給気流路、分離機構、および、ファンを備えている。全熱交換部は、対象空間の空気と外部空間の空気との間で熱交換させる。上流側排気流路は、対象空間から全熱交換部まで延びている。下流側排気流路は、全熱交換部から外部空間まで延びている。上流側給気流路は、外部空間から全熱交換部まで延びている。下流側給気流路は、全熱交換部から対象空間まで延びている。フィルタ部は、上流側排気流路から全熱交換部または上流側給気流路から全熱交換部に向かう空気中の集塵を捕捉する。分離機構は、フィルタ部が捕捉している集塵をフィルタ部から分離させ、分離させた分離物を下流側排気流路に存在させる。ファンは、上流側排気流路から全熱交換部を通じて下流側排気流路に向かう空気流れを生じさせる。
【０００７】
この換気装置は、全熱交換部がフィルタによって保護されているため、全熱交換部の内部に集塵が入り込むことを抑制することができている。そして、分離機構によって、フィルタ部が捕捉した集塵がフィルタ部から分離される。このため、フィルタ部の目詰まり等によって、全熱交換部における熱交換効率が低減される状態を回避することが可能になっている。分離機構は、その際に生じる集塵を、下流側排出流路中に存在させるようにすることができる。この下流側排出流路中に存在することとなった集塵は、ファンが生じさせる空気流れによって外部空間に排出される。これにより、フィルタ部のメンテナンスに要する負担を低減させることが可能になる。
【０００８】
第２の観点に係る換気装置は、第１の観点に係る換気装置において、分離機構は、掻き落とし部と、移動機構と、を有している。移動機構は、掻き落とし部に対するフィルタ部の位置を相対的に変動させる。
【０００９】
この換気装置では、移動機構によって、掻き落とし部とフィルタ部とを相対的に移動させることができるため、フィルタ部が捕捉している集塵を分離させやすくすることができる。
【００１０】
第３の観点に係る換気装置は、第２の観点に係る換気装置において、掻き落とし部は、下流側排気流路中に配置されているか、もしくは、下流側排気流路の壁面の少なくとも一部によって構成されている。
【００１１】
この換気装置では、移動機構がフィルタ部を掻き落とし部まで移動させるだけで、フィルタ部から分離された分離物を容易に下流側排気流路中に存在させることができるようになる。
【００１２】
第４の観点に係る換気装置は、第２の観点または第３の観点に係る換気装置において、フィルタ部は、少なくとも、上流側給気部分および上流側排気部分を有している。上流側給気部分は、上流側給気流路を通過する空気に含まれる集塵を捕捉する。上流側排気部分は、上流側排気流路を通過する空気に含まれる集塵を捕捉する。移動機構は、上流側給気部分に位置していた時に集塵を捕捉していた面が全熱交換部とは反対側を向いた状態で下流側排気流路中に位置するようにフィルタ部を移動させる、および／または、上流側排気部分に位置していた時に集塵を捕捉していた面が全熱交換部とは反対側を向いた状態で下流側排気流路中に位置するようにフィルタ部を移動させる。
【００１３】
この換気装置では、全熱交換部に流入しようとする排気および給気のいずれの空気についても清浄化させることができるため、全熱交換部の内部が集塵によって目詰まりしてしまうことを抑制できる。そして、フィルタ部を移動させるだけで、同じファンの空気流れによって、フィルタ部のうち上流側給気部分もしくは上流側排気部分において捕捉していた集塵を分離させ、外部空間に排出させることが可能になる。
【００１４】
第５の観点に係る換気装置は、第４の観点に係る換気装置において、フィルタ部は、下流側給気部分および下流側排気部分をさらに有している。下流側給気部分は、下流側給気流路に配置されている。下流側排気部分は、下流側排気流路に配置されている。上流側給気部分と上流側排気部分と下流側給気部分と下流側排気部分とは、一体化している。移動機構は、フィルタ部を全熱交換部に対して循環移動させることが可能である。
【００１５】
この換気装置では、フィルタ部を全熱交換部に対して循環移動させることで、集塵を捕捉している部分を容易に下流側排気流路中に移動させることが可能になる。
【００１６】
第６の観点に係る換気装置は、第５の観点に係る換気装置において、フィルタ部のうち集塵を捕捉していた面が下流側排気流路中に位置した状態では、上流側給気流路における空気流れを生じさせることなく、下流側排気流路に空気流れを生じさせる。
【００１７】
この換気装置では、フィルタ部が捕捉した集塵が対象空間に戻されることを回避することができる。
【００１８】
第７の観点に係る換気装置は、第４の観点または第５の観点に係る換気装置において、ファン風量制御部をさらに備えている。ファン風量制御部は、上流側給気部分が上流側給気流路に位置している状態もしくは上流側排気部分が上流側排気流路に位置している状態でのファンの風量よりも、移動機構が上流側給気部分もしくは上流側排気部分を下流側排気流路に配置させた状態でのファンの風量を増大させる。すなわち、フィルタ部を用いた集塵の捕捉が行われる配置状態でのファンの風量よりも、集塵を排出させる配置状態でのファンの風量の方が大きくなるように制御される。
【００１９】
この換気装置では、フィルタ部が捕捉している集塵をファンの風量を増大させることで排出しやすくすることが可能になる。
【発明の効果】
【００２０】
第１の観点の換気装置では、フィルタ部のメンテナンスに要する負担を低減させることが可能になる。
【００２１】
第２の観点の換気装置では、フィルタ部が捕捉している集塵を分離させやすくすることができる。
【００２２】
第３の観点の換気装置では、分離物を容易に下流側排気流路中に存在させることができるようになる。
【００２３】
第４の観点の換気装置では、フィルタ部を移動させるだけで、同じファンの空気流れによって、フィルタ部のうち上流側給気部分もしくは上流側排気部分において捕捉していた集塵を分離させ、外部空間に排出させることが可能になる。
【００２４】
第５の観点の換気装置では、集塵を捕捉している部分を容易に下流側排気流路中に移動させることが可能になる。
【００２５】
第６の観点の換気装置では、フィルタ部が捕捉した集塵が対象空間に戻されることを回避することができる。
【００２６】
第７の観点の換気装置では、ファンの風量を増大させることで排出しやすくすることが可能になる。
【図面の簡単な説明】
【００２７】
【図１】本発明の一実施形態にかかる換気装置が採用した例を示す概略構成図である。
【図２】換気装置のブロック構成図である。
【図３】換気装置の上面視における全熱交換換気状態を示す概略図である。
【図４】図３のＸ−Ｘ面における概略断面図である。
【図５】図３のＹ−Ｙ面における概略断面図である。
【図６】換気動作時のフィルタと掃除機構との配置関係を示す概略側面図である。
【図７】フィルタ掃除動作の開始初期時の状態を示す概略側面図である。
【図８】フィルタ掃除動作の途中の状態を示す概略側面図である。
【図９】フィルタ掃除動作の終了間際の状態を示す概略側面図である。
【図１０】他の実施形態（Ａ）に係るフィルタと掃除機構との配置関係を示す概略側面図である。
【図１１】他の実施形態（Ｂ）に係るフィルタと掃除機構との配置関係を示す概略側面図である。
【図１２】他の実施形態（Ｃ）に係るフィルタと掃除機構との配置関係を示す概略側面図である。
【図１３】他の実施形態（Ｊ）に係る換気装置が採用された例を示す概略構成図である。
【発明を実施するための形態】
【００２８】
以下、本発明の換気装置１の一実施形態について、図面に基づいて説明する。
（１）換気装置の構成
図１は本発明の一実施形態にかかる換気装置１が採用された対象物件の概略図である。
【００２９】
図２は、換気装置１のブロック構成図である。図３は、換気動作状態での換気ユニット５の上面視概略構成図である。図４は、図３のＸ−Ｘ面における側面視断面図である。図５は、図３のＹ−Ｙ面における側面視断面図である。
【００３０】
換気装置１は、建物Ｈの室内の天井裏の空間に配置されており、室内ＳＩの換気を行いつつ給気と排気とで熱交換を行わせる装置である。
【００３１】
換気装置１は、換気ユニット５、上流側排気ダクト２１、下流側排気ダクト２２、上流側給気ダクト２３、下流側給気ダクト２４、室内温度センサＴＨ１、室外温度センサＴＨ２、制御部７０、および、リモコン９７等を備えている。
【００３２】
換気ユニット５は、ケーシング５０、給気ファン４２、排気ファン４３、熱交換エレメント５０ａ、フィルタ５１、フィルタ移動機構６０、および、掃除用ブラシ６５を有している。
【００３３】
ケーシング５０は、内部に、略四角柱形状の熱交換エレメント５０ａ、給気ファン４２、排気ファン４３等を収容しており、上流側排気ダクト２１、下流側排気ダクト２２、上流側給気ダクト２３および下流側給気ダクト２４とそれぞれ接続するための開口が設けられている。ケーシング５０内には、熱交換エレメント５０ａに対して上流側排気ダクト２１側には上流側排気用空間２１ａが、熱交換エレメント５０ａに対して下流側排気ダクト２２側には下流側排気用空間２２ａが、熱交換エレメント５０ａに対して上流側給気ダクト２３側には上流側給気用空間２３ａが、熱交換エレメント５０ａに対して下流側給気ダクト２４側には下流側給気用空間２４ａが、それぞれ設けられている。
【００３４】
給気ファン４２は、下流側給気用空間２４ａに配置されており、給気ファンモータ４２ｍを有している。排気ファン４３は、下流側排気用空間２２ａに配置されており、排気ファンモータ４３ｍを有している。
【００３５】
上流側排気ダクト２１は、室内ＳＩの天井に設けられた開口１３を介して、ケーシング５０の上流側排気用空間２１ａまで延びている。下流側排気ダクト２２は、ケーシング５０の下流側排気用空間２２ａから、屋外ＳＯに向けて開口している開口１５まで延びている。上流側給気ダクト２３は、開口１５とは別に屋外ＳＯに向けて開口している開口１４から、ケーシング５０の上流側給気用空間２３ａまで延びている。下流側給気ダクト２４は、ケーシング５０の下流側給気用空間２４ａから、室内ＳＩの天井に設けられた開口１３とは別の開口１２まで延びている。
【００３６】
上流側排気ダクト２１と上流側排気用空間２１ａとは、熱交換エレメント５０ａに対する上流側排気流路Ａを構成している。下流側排気ダクト２２と下流側排気用空間２２ａとは、熱交換エレメント５０ａに対する下流側排気流路Ｂを構成している。上流側給気ダクト２３と上流側給気用空間２３ａとは、熱交換エレメント５０ａに対する上流側給気流路Ｃを構成している。下流側給気ダクト２４と下流側給気用空間２４ａとは、熱交換エレメント５０ａに対する下流側給気流路Ｄを構成している。
【００３７】
図４の側面視断面図および図１に示すように、屋外ＳＯの外気ＯＡは、給気ファン４２が駆動することで、上流側給気流路Ｃを介して、熱交換エレメント５０ａに至り、熱交換エレメント５０ａを通過した空気は、新鮮な給気ＳＡとして室内ＳＩに供給される。図５の側面視断面図および図１に示すように、室内ＳＩの室内空気ＲＡは、排気ファン４３が駆動することで、上流側排気流路Ａを介して、熱交換エレメント５０ａに至り、熱交換エレメント５０ａを通過した空気は、排気ＥＡとなって屋外ＳＯに排出される。ここで、熱交換エレメント５０ａでは、互いに混ざり合うことがないようにしつつ室内空気ＲＡと外気ＯＡとの間で熱交換を行わせ、屋外ＯＡの温度を室内ＳＩの室内空気ＲＡの温度に近づけることで、換気に伴う空調負荷等を低減化させている。
【００３８】
フィルタ５１は、図５の側面視断面図に示すように、熱交換エレメント５０ａのうち、空気が流入する面および流出する面の全体を取り囲んで覆うように構成されている。以下、フィルタ５１に対して熱交換エレメント５０ａ側を「内側」とし、フィルタ５１に対して熱交換エレメント５０ａ側とは反対側を「外側」とする。このフィルタ５１は、フィルタ移動機構６０によって、熱交換エレメント５０ａに対して循環可能に設けられている。フィルタ５１は、この循環方向において無端形状となっており、フィルタ移動機構６０の回転軸方向視において輪を構成するようにして設けられている。このフィルタ５１は、上流側排気用空間２１ａ内に位置している上流側排気部分５１ａと、下流側排気用空間２２ａ内に位置している下流側排気部分５１ｂと、上流側給気用空間２３ａ内に位置している上流側給気部分５１ｃと、下流側給気用空間２４ａ内に位置している下流側給気部分５１ｄと、を有しており、これらが一体に接続されることで一重の輪を構成している。これにより、外気ＯＡおよび室内空気ＲＡのいずれの空気についても、熱交換エレメント５０ａに供給する前に埃を除去することができ、熱交換エレメント５０ａ内に集塵Ｇが流入することを防ぐことができている。
【００３９】
フィルタ移動機構６０は、フィルタ５１と熱交換エレメント５０ａとの間に配置されており、固定配置されている熱交換エレメント５０ａに対してフィルタ５１を循環移動させる。具体的には、図６に示すように、フィルタ移動機構６０は、熱交換エレメント５０ａの下方においてフィルタ５１を保持している第１フィルタ支持軸６１と、熱交換エレメント５０ａの上方においてフィルタ５１を保持している第３フィルタ支持軸６３と、熱交換エレメント５０ａの上流側給気流路Ｃと下流側排気流路Ｂとの境界近傍においてフィルタ５１を保持している第２フィルタ支持軸６２と、熱交換エレメント５０ａの上流側排気流路Ａと下流側給気流路Ｄとの境界近傍においてフィルタ５１を保持している第４フィルタ支持軸６４とを有している。これらの第１フィルタ支持軸６１〜第４フィルタ支持軸６４は、熱交換エレメント５０ａの角部分に沿うようにして略水平方向に延びるそれぞれの軸方向を中心として、自転可能に構成されている。この第１フィルタ支持軸６１〜第４フィルタ支持軸６４がそれぞれ自転することで、フィルタ５１が循環移動することになる。なお、フィルタ移動機構６０は、第１フィルタ支持軸６１の軸に対して回転させる動力を与えるためのフィルタ用モータ６１ｍを有している。このフィルタ用モータ６１ｍによって第１フィルタ支持軸６１に与えられる駆動力によって、フィルタ５１が循環移動しつつ、他の第２フィルタ支持軸６２〜第４フィルタ支持軸６４がそれぞれ自転することになる。
【００４０】
掃除用ブラシ６５は、図６に示すように、フィルタ５１のうち下流側排気流路Ｂ内に位置している部分の一部と互いに圧接するようにして、下流側排気用空間２２ａ内に配置されており、ブラシ用モータ６５ｍから動力を受けて自転可能となっている。フィルタ５１がフィルタ移動機構６０によって循環移動されている状態で、ブラシ用モータ６５ｍを駆動させることにより、フィルタ５１が捕捉していた集塵Ｇが掻き落とされる。ここでは、フィルタ５１と掃除用ブラシ６５とが圧接している部分において、フィルタ５１の進行方向と、掃除用ブラシ６５の回転進行方向とが、対向するように駆動される。ここで、掃除用ブラシ６５は、下流側排気流路Ｂ内に配置されおり、この下流側排気流路Ｂ内においてフィルタ５１と圧接して集塵Ｇを掻き落とすため、掻き落とされた集塵Ｇは、下流側排気流路Ｂ内に存在するようになる。フィルタ５１のうち掃除用ブラシ６５によって清掃された部分は、第３フィルタ支持軸６３を介して、下流側給気流路Ｄ内に移動することになるが、下流側給気流路Ｄ内に移動するフィルタ５１の部分は、すでに清浄された状態となっているため、下流側給気流路Ｄ内に集塵Ｇが存在しにくいようにすることができている。
【００４１】
室内温度センサＴＨ１は、室内ＳＩの温度を検出する。室外温度センサＴＨ２は、屋外ＳＯの温度を検出する。
【００４２】
リモコン９７は、室内ＳＩに存在しているユーザが換気装置１について、各種設定操作するためのものである。
【００４３】
制御部７０は、図２に示すように、給気ファンモータ４２ｍ、排気ファンモータ４３ｍ、リモコン９７、室内温度センサＴＨ１、室外温度センサＴＨ２、フィルタ用モータ６１ｍ、および、ブラシ用モータ６５ｍと接続されており、各種温度情報を取得したり、これらの各機器の駆動状体を制御する。
【００４４】
（２）換気動作
制御部７０は、室内温度センサＴＨ１の検知温度と室外温度センサＴＨ２の検知温度とが、換気運転を開始させるための所定の関係条件を満たした場合には、図３に示すように、給気ファン４２および排気ファン４３の両方を駆動させることで換気動作を行う。
【００４５】
このように、換気動作を行うことで、室内ＳＩに対して、新鮮な空気を供給することができる。さらに、室内ＳＩに供給される給気ＳＡは、熱交換エレメント５０ａにおいて室内空気ＲＡと熱交換することで、室内温度に近づけることができ、室内ＳＩの空調負荷等を低減させることができる。
【００４６】
（３）フィルタ掃除動作
制御部７０は、１月に１回、もしくは、１年に１回等の予め定められた所定時間間隔で、フィルタ５１を清掃するフィルタ掃除動作を行う。ここでの所定時間間隔は、ユーザによってリモコン９７等を用いて予め設定しておくことができる。
【００４７】
制御部７０は、図７示すように、給気ファン４２を停止状態とすることで室内ＳＩへの給気流れが生じないようにした状態で、排気ファン４３のみを駆動させて、フィルタ掃除動作を行う。ここで、制御部７０は、フィルタ掃除動作を行う際の排気ファン４３の風量を、換気動作を行う際の風量よりも大きくなるように調節する。また、制御部７０は、フィルタ掃除動作の進行していく様子を段階的に示している図７、図８、図９に示すように、フィルタ用モータ６１ｍおよびブラシ用モータ６５ｍを駆動させることで、フィルタ５１が捕捉していた集塵Ｇを掻き落としていく。
【００４８】
ここで、フィルタ移動機構６０のフィルタ用モータ６１ｍは、図７、図８、図９に示すように、図示において、左回転の力を第１フィルタ支持軸６１に伝え、これによって、第１フィルタ支持軸６１〜第４フィルタ支持軸６４が、それぞれ左回転することになる。これにより、フィルタ５１は、熱交換エレメント５０ａに対して左回転するように循環移動することになる。すなわち、フィルタ５１のうち、換気動作時において上流側給気流路Ｃに位置していた上流側給気部分５１ｃの集塵Ｇを捕捉している外側の面は、熱交換エレメント５０ａに対して外側を向いた状態を維持したままで、下流側排気流路Ｂ内にまで循環移動される。同様に、フィルタ５１のうち、換気動作時において上流側排気流路Ａに位置していた上流側排気部分５１ａの集塵Ｇを捕捉している外側の面についても、熱交換エレメント５０ａに対して外側を向いた状態を維持したままで、上流側給気部分５１ｃが下流側排気流路Ｂ内を通過した後で、下流側排気流路Ｂ内にまで循環移動される。なお、ここで、フィルタ５１のうち、換気動作時において下流側排気流路Ｂに位置していた下流側排気部分５１ｂは、集塵Ｇを捕捉していなかった面であるため、フィルタ移動機構６０によってフィルタ５１が循環移動されて下流側給気流路Ｄ内に移動したとしても、下流側給気流路Ｄ内に集塵Ｇを落としてしまうことがない。換気動作時において、フィルタ５１のうち、下流側給気流路Ｄに位置していた下流側給気部分５１ｄについても同様に、集塵Ｇを下流側給気流路Ｄ内に落としてしまうことはない。
【００４９】
他方で、掃除用ブラシ６５は、ブラシ用モータ６５ｍによって、図示において左回転の力が与えられることで、左回転することになる。そして、フィルタ５１と掃除用ブラシ６５とが接している部分では、フィルタ５１のうち下流側排気流路Ｂを通過する部分の進行方向と、掃除用ブラシ６５のブラシの回転移動方向とが、互いに対向する方向となっている。これにより、図７、図８、図９にそれぞれ示すように、フィルタ５１が保持していた集塵Ｇは、掃除用ブラシ６５によって、図示における右下方向へ掻き落とされる。このようにして掻き落とされた集塵Ｇは、下流側排気流路Ｂ内に存在することになり、その際に排気ファン４３が駆動されていることで、下流側排気流路Ｂ内において屋外ＳＯに向かう空気気流れが生じているため、集塵Ｇを効率的に排出することができるようになっている。また、フィルタ掃除動作時の排気ファン４３の風量は、換気動作の際の風量よりも大きくなるように調節されているため、下流側排気流路Ｂ内に掻き落とされた集塵Ｇや、掃除用ブラシ６５がフィルタ５１から掻き取っている集塵Ｇや、フィルタ５１に付着したままの集塵Ｇについても、下流側排気流路Ｂ内に生じた空気流れによって、効率良く排出させることができるようになる。
【００５０】
このようにして、フィルタ５１のうち、換気動作時において上流側給気流路Ｃに位置していた上流側給気部分５１ｃ、および、換気動作時において上流側排気流路Ａに位置していた上流側排気部分５１ａは、いずれも、掃除用ブラシ６５によって掃除された後の状態で、下流側給気流路Ｄ内に移動していくため、下流側給気流路Ｄ内に集塵Ｇを落としてしまうことがない。
【００５１】
さらに、フィルタ掃除動作中は給気ファン４２が停止しているため、上流側給気流路Ｃ、下流側給気流路Ｄ、および熱交換エレメント５０ａのうちのこれらの流路を接続する部分には、空気流れが生じていない。このため、仮に、フィルタ５１が捕捉していた集塵Ｇが下流側給気流路Ｄ内に到達してしまうことがあっても、室内ＳＩに送られることを防ぐことができる。
【００５２】
（４）換気装置１の特徴
（４−１）
上記実施形態の換気装置１では、フィルタ５１によって熱交換エレメント５０ａ内部に集塵Ｇが入り込んでしまうことを防ぐことができている。そして、所定時間間隔でフィルタ５１が掃除されることで、フィルタ５１の目詰まりを生じさせにくくすることができている。これにより、排気ファン４３や給気ファン４２の消費電力を小さく抑えることも可能になっている。また、このように所定時間間隔でフィルタ掃除動作を行うことで、一回の掃除によって屋外ＳＯに排出される集塵Ｇの量を少なくすることができる。
【００５３】
フィルタ掃除動作によってフィルタ５１から掻き落とされた集塵Ｇは、下流側排気流路Ｂ内を流れる空気流れによって、屋外ＳＯに排出することができる。このため、フィルタ５１を掃除するために、ユーザやサービスエンジニアが、室内ＳＩの天井裏の空間に入り込む等の煩雑な動作を行う必要がない。さらに、全熱交換換気を行うために換気ユニット５に予め備わっている排気ファン４３および下流側排気流路Ｂを流用して、集塵Ｇの排出を行うことができるため、集塵Ｇを排出するための新たな構成を設ける必要が無く、簡単な構成によってフィルタ掃除動作を自動的に行うことが可能になっている。
【００５４】
上記フィルタ５１から集塵Ｇを掻き落とすための掃除用ブラシ６５は、下流側排気流路Ｂ内に配置されている。そして、フィルタ５１についても、集塵Ｇを捕捉している部分を下流側排気流路Ｂ内に移動させることができる。このため、掃除用ブラシ６５によって掻き落とされた集塵Ｇは、下流側排気流路Ｂ内に移動させるための手段等を用いることなく、そのまま下流側排気流路Ｂ内に存在させることができ、容易に屋外ＳＯに排出することができる。
【００５５】
さらに、上記フィルタ５１は、無端形状であるため、循環移動させることが可能であるため、フィルタ５１の全体を掃除することができるようになっている。このように、フィルタ５１を循環移動させ、掃除用ブラシ６５の位置を固定させておくことで、集塵Ｇを掃除用ブラシ６５の近傍に容易に集めることができる。さらに、フィルタ５１のうち、集塵Ｇを捕捉している部分を掃除用ブラシ６５の位置まで移動させる場合であっても、フィルタ５１の全体の位置は変わらないため、清掃のために別途新たにスペースを設ける必要が無い。
【００５６】
（４−２）
上記実施形態の換気装置１では、換気動作を行う際の排気ファン４３の風量よりも、フィルタ掃除動作の排気ファン４３の風量の方が大きくなるように制御を行っている。このため、より効果的に集塵Ｇを排出させることができる。
＜他の実施形態＞
以上、本発明の一実施形態について図面に基づいて説明したが、具体的な構成は、この実施形態に限られるものではなく、以下のように、発明の要旨を逸脱しない範囲で変更可能である。
【００５７】
（Ａ）
上記実施形態では、熱交換エレメント５０ａの空気が通過する面の全てを覆うように設けられたフィルタ５１を例に挙げて説明した。
【００５８】
しかし、本発明はこれに限られるものではなく、例えば、図１０に示すように、下流側給気流路Ｄ側の部分が存在せず、上流側排気流路Ａ側、上流側給気流路Ｃ側、および、下流側排気流路Ｂ側において、それぞれ二重に設けられ一体化されたフィルタ２５１であってもよい。
【００５９】
このフィルタ２５１は、上流側排気流路Ａ内において外側に位置している外側上流側排気部分２５１ａと、下流側排気流路Ｂ内において外側に位置している外側下流側排気部分２５１ｂと、上流側給気流路Ｃ内において外側に位置している外側上流側給気部分２５１ｃと、上流側排気流路Ａ内において内側に位置している内側上流側排気部分２５１ｅと、下流側排気流路Ｂ内において内側に位置している内側下流側排気部分２５１ｆと、上流側給気流路Ｃ内において内側に位置している内側上流側給気部分２５１ｇと、を有しており、これらが一体化されて構成されている。フィルタ２５１は、全体形状がＵ字形状（凹状）となっているが、循環可能な輪状でもある。
【００６０】
フィルタ移動機構２６０は、上記実施形態のフィルタ移動機構６０に加えて、第５フィルタ支持軸２６１および第６フィルタ支持軸２６２を備えている。第５フィルタ支持軸２６１は、第１フィルタ支持軸６１の内側において、軸方向が共通になるように配置されている。第６フィルタ支持軸２６２についても同様に、第２フィルタ支持軸６２の内側において、軸方向が共通になるように配置されている。
【００６１】
フィルタ２５１は、自身の輪の内部には第１フィルタ支持軸６１〜第４フィルタ支持軸６４を配置しており、フィルタ２５１と熱交換エレメント５０ａとの間には上記第５フィルタ支持軸２６１および第６フィルタ支持軸２６２を配置している。これにより、フィルタ２５１は、フィルタ移動機構２６０によって循環移動される。具体的には、上流側排気流路Ａの外側に位置していた外側上流側排気部分２５１ａは、上流側給気流路Ｃの外側、下流側排気流路Ｂの外側、下流側排気流路Ｂの内側、上流側給気流路Ｃの内側、上流側排気流路Ａの内側をこの順で循環移動し、もとの位置に戻ることになる。上流側給気流路Ｂの外側に位置していた外側上流側給気部分２５１ｃについても、同様である。また、捕捉した集塵Ｇが下流側排気流路Ｂにおいて掃除用ブラシ６５によって掻き落とされる点は、上記実施形態と同様である。
【００６２】
なお、このようなフィルタ２５１およびフィルタ移動機構２６０を採用した場合であっても、換気動作時において上流側排気流路Ａの外側に位置していた外側上流側排気部分２５１ａや上流側給気流路Ｃの外側に位置していた外側上流側給気部分２５１ｃは、下流側排気流路Ｂにおいて掃除用ブラシ６５によって掃除された後で他の場所に移動するため、熱交換エレメント５０ａ内や室内ＳＩに集塵Ｇを送り込んでしまうことを避けることができている。
【００６３】
（Ｂ）
また、図１１に示すように、上記他の実施形態（Ａ）の構成から、さらに、上流側排気流路Ａの部分を取り除き、下流側給気流路Ｄおよび上流側排気流路Ａの部分が存在せず、上流側給気流路Ｃ側、および、下流側排気流路Ｂ側において、それぞれ二重に設けられ一体化されたフィルタ３５１であってもよい。この構成は、室内ＳＩ側からの排気に含まれる集塵Ｇが少ないことが想定される環境で実施する場合に特に有用である。
【００６４】
具体的には、フィルタ３５１は、下流側排気流路Ｂ内において外側に位置している外側下流側排気部分３５１ｂと、上流側給気流路Ｃ内において外側に位置している外側上流側給気部分３５１ｃと、下流側排気流路Ｂ内において内側に位置している内側下流側排気部分３５１ｆと、上流側給気流路Ｃ内において内側に位置している内側上流側給気部分３５１ｇと、を有しており、これらが一体化されて構成されている。フィルタ３５１は、全体形状がＶ字形状となっているが、循環可能な輪状でもある。
【００６５】
フィルタ移動機構３６０は、上記実施形態のフィルタ移動機構６０から第４フィルタ支持軸６４を除いた構成に加えて、第７フィルタ支持軸３６２を備えている。第７フィルタ支持軸３６２は、第２フィルタ支持軸６２の内側において、軸方向が共通になるように配置されている。
【００６６】
フィルタ３５１は、自身の輪の内部には第１フィルタ支持軸６１〜第３フィルタ支持軸６３を配置しており、フィルタ３５１と熱交換エレメント５０ａとの間には上記第７フィルタ支持軸３６２を配置している。これにより、フィルタ３５１は、フィルタ移動機構３６０によって循環移動される。具体的には、上流側給気流路Ｃの外側に位置していた外側上流側給気部分３５１ｃは、下流側排気流路Ｂの外側、下流側排気流路Ｂの内側、上流側給気流路Ｃの内側、をこの順で循環移動し、もとの位置に戻ることになる。また、捕捉した集塵Ｇが下流側排気流路Ｂにおいて掃除用ブラシ６５によって掻き落とされる点は、上記実施形態と同様であり、集塵Ｇが熱交換エレメント５０ａ内や室内ＳＩに送り込まれない点は上記他の実施形態（Ａ）と同様である。
【００６７】
（Ｃ）
上記実施形態の換気装置１では、フィルタ５１から集塵Ｇを掻き落とすために、掃除用ブラシ６５を用いる場合を例に挙げて説明した。
【００６８】
しかし、本発明はこれに限られるものではなく、例えば、図１２に示すように、掃除用ブラシ６５およびブラシ用モータ６５ｍの構成の代わりに、ケーシング５０の一部分として、例えば、下流側排気流路Ｂを構成するための壁面４６５の一部分において掻き落とし部Ｐを有した構成を採用してもよい。
【００６９】
この構成では、フィルタ５１の集塵Ｇを捕捉していた部分を、この掻き落とし部Ｐに押し当てつつスライドさせるようにすることで、集塵Ｇを下流側排気流路Ｂにおいて掻き落とす。
【００７０】
この掻き落とし部Ｐの形状としては、先端が突出している形状であることが好ましい。
【００７１】
また、集塵Ｇがフィルタ５５１から掻き落とされる効率を上げるために、この掻き落とし部５６５がフィルタ５５１に接する部分において、フィルタ５５１の形状を外側に凸になるように湾曲させることができる構成であることが好ましい。この他の実施形態（Ｃ）の例は、フィルタ５１は、第３フィルタ支持軸６３の近傍において外側に凸に湾曲しており、その湾曲部分が掻き落とし部Ｐに接するように構成されているため、集塵Ｇの掻き落としを効率的に行うことができる。
【００７２】
（Ｄ）
上記実施形態の換気装置１では、フィルタ移動機構６０の回転軸方向視において輪を形成するような無端形状のフィルタ５１について例に挙げて説明した。
【００７３】
しかし、本発明はこれに限られるものではなく、例えば、フィルタとしては、端部を有するような構成のものであってもよい。
【００７４】
この場合に、例えば、一端側に巻き取られるようにして集められているフィルタを、他端側が巻き取るようにしてフィルタを移動させるような構成であってもよい。
【００７５】
（Ｅ）
上記実施形態では、掃除用ブラシ６５の位置が固定されている場合について例に挙げて説明した。
【００７６】
しかし、本発明はこれに限られるものではなく、例えば、フィルタ５１に対して移動可能な掃除用ブラシ６５を有するフィルタ移動機構が採用されていてもよい。
【００７７】
（Ｆ）
上記実施形態では熱交換エレメント５０ａにおいて熱交換換気された空気を、そのまま室内ＳＩに供給する換気装置１を例に挙げて説明した。
【００７８】
しかし、本発明はこれに限定されるものではなく、例えば、熱交換エレメント５０ａを通過した新鮮な空気を、別途設けられた空気調和装置の室内機の熱交換器をさらに通じさせた後に、室内ＳＩに供給するようにしてもよい。
【００７９】
（Ｇ）
上記実施形態の換気装置１では、フィルタ５１から掻き落とした集塵Ｇを、屋外ＳＯに排出する場合について例に挙げて説明した。
【００８０】
しかし、本発明はこれに限られるものではなく、例えば、下流側排気流路Ｂの途中の屋外ＳＯに到達する前の位置であって、室内ＳＩ側からのアクセスが容易な位置に設けられた、集塵溜め部のような空間を設けるようにしてもよい。このように室内ＳＩ側からのアクセスが容易な位置に集塵Ｇを集めておき、定期的にユーザが溜まった集塵Ｇを処理するようにした場合であっても、上記実施形態と同様に、換気ユニット５を分解してフィルタの掃除を行う等の煩雑な作業を行う必要がなくなる。
【００８１】
（Ｈ）
上記実施形態の換気装置１では、ユーザによって予め定められた時間間隔によってフィルタ掃除動作を行う場合について例に挙げて説明した。
【００８２】
しかし、本発明はこれに限られるものではなく、例えば、換気動作が行われた合計の時間長さや、予め定めた日時、時刻に従って、制御部７０がフィルタ掃除動作を開始するようにしてもよい。
【００８３】
また、フィルタ５１の汚れ度合いを検知するセンサや、通過する空気の汚れ度を検知するセンサ等を用いて、センサによる検知結果に応じてフィルタ掃除動作を開始するようにしてもよい。
【００８４】
（Ｉ）
上記実施形態の１では、フィルタ掃除動作を行う場合には、給気ファン４２を停止させる場合について例に挙げて説明した。
【００８５】
しかし、本発明はこれに限られるものではなく、例えば、集塵Ｇが下流側給気流路Ｄ内に到達することを抑制させる構造を採用した場合には、フィルタ掃除動作中であっても、給気ファン４２の駆動を、換気動作時と同様に継続させるようにしてもよい。
【００８６】
また、フィルタ掃除動作中に給気ファン４２を完全に停止させるのではなく、換気動作時の場合よりも風量を弱めて駆動させるようにしてもよい。
【００８７】
（Ｊ）
上記実施形態の換気装置１では、排気ファン４３がケーシング５０の下流側排気用空間２２ａ内に配置され、給気ファン４２がケーシング５０の下流側給気用空間２４ａ内に配置された場合について例に挙げて説明した。
【００８８】
しかし、本発明はこれに限られるものではなく、例えば、図１３に示すように、排気ファン５４３および排気ファンモータ５４３ｍをケーシング５０の上流側排気用空間２１ａ内に配置し、給気ファン５４２および給気ファンモータ５４２ｍをケーシング５０の上流側給気用空間２３ａ内に配置した換気ユニット５０５を有する換気装置５０１としてもよい。
【００８９】
また、給気ファンと排気ファンの配置については、上記実施形態の配置と本他の実施形態の配置とを適宜組み合わせるようにしてもよい。
【００９０】
なお、排気ファン５４３を、上流側排気用空間２１ａ内に配置した場合には、フィルタ掃除動作によってフィルタ５１から掻き落とされた集塵Ｇが、屋外ＳＯに排出されるまでの間に排気ファン４３が存在しないことになるため、集塵Ｇを排気ファン５４３が取り込んでしまうことによる不具合を抑制することができる。
【００９１】
（Ｋ）
上記実施形態の１では、フィルタ５１が捕捉した集塵Ｇを掻き落とすことでフィルタ掃除動作を行う場合を例に挙げて説明した。
【００９２】
しかし、本発明はこれに限られるものではなく、例えば、集塵Ｇと共に、フィルタ５１に付着している他の付着物についても、一緒に掻き落とすようにしてもよい。
【００９３】
（Ｌ）
上記実施形態および上記（Ａ）〜（Ｋ）の各他の実施形態は、発明をこれらに限定するものではなく、当業者に自明な手法によって上記実施形態および（Ａ）〜（Ｋ）の内容を各種組み合わせて行うことができ、そのようにして組み合わされた内容も本発明に含まれる。
【産業上の利用可能性】
【００９４】
本発明の換気装置は、フィルタ部のメンテナンスに要する負担を低減させることが可能なため、フィルタを有する換気装置において、特に、有用である。
【符号の説明】
【００９５】
１  換気装置
４３  排気ファン（ファン）
５０ａ  熱交換エレメント（全熱交換部）
５１  フィルタ（フィルタ部）
５１ａ  上流側給気部分
５１ｃ  上流側排気部分
５１ｄ  下流側給気部分
５１ｂ  下流側排気部分
６５  掃除用ブラシ（分離機構、掻き落とし部）
７０  制御部（ファン風量制御部）
Ａ  上流側排気流路
Ｂ  下流側排気流路
Ｃ  上流側給気流路
Ｄ  下流側給気流路
Ｐ  掻き落とし部（分離機構）
ＳＩ  室内（対象空間）
ＳＯ  屋外（外部空間）
【先行技術文献】
【特許文献】
【００９６】
【特許文献１】特開２００７−２８５５８４号公報
【図１】
2012052692.tif 000003
【図２】
2012052692.tif 000004
【図３】
2012052692.tif 000005
【図４】
2012052692.tif 000006
【図５】
2012052692.tif 000007
【図６】
2012052692.tif 000008
【図７】
2012052692.tif 000009
【図８】
2012052692.tif 000010
【図９】
2012052692.tif 000011
【図１０】
2012052692.tif 000012
【図１１】
2012052692.tif 000013
【図１２】
2012052692.tif 000014
【図１３】
2012052692.tif 000015